(57)【特許請求の範囲】
【請求項１】
遊戯機の固定取付部に取り付ける取付部を含むフレームと、該フレームに対して振動可能に前面側から取り付けられる振動板と、通気性を有して該振動板の前面側を覆う前面パネルと、を備え、
通電性の金属により形成される該前面パネルおよび該フレームが、絶縁性を有するガスケットを狭持して連結し、かつ、それぞれ接続線により導通検出端子の正負両端子に接続されている、
遊戯機用スピーカー。
【請求項２】
前記振動板が、紙材、または、樹脂から形成され、
前記フレームおよび前記前面パネルが、鉄を含む合金からなる鋼板に多数の小孔を設けたパンチング部材から形成される、
請求項１に記載の遊戯機用スピーカー。
【請求項３】
前記振動板が、紙材、または、樹脂から形成され、
前記前面パネルが、鉄を含む合金からなる鋼板に多数の小孔を設けたパンチング部材から形成され、
前記フレームが、鉄を含む合金からなる鋼板から形成され、前記振動板の外周端部に対応する第１固定部と、該振動板の内周端部に対応する第２固定部と、該第１固定部および該第２固定部を連結する連結部と、を備え、該連結部が、複数の小孔を含む、
請求項１に記載の遊戯機用スピーカー。
【請求項４】
前記振動板が、紙材、または、樹脂から形成され、
前記前面パネルが、鉄を含む合金からなる鋼板に多数の小孔を設けたパンチング部材から形成され、
前記フレームが、鉄を含む合金からなる鋼板から形成され、前記振動板の外周端部に対応する第１固定部と、該振動板の内周端部に対応する第２固定部と、該第１固定部および該第２固定部を連結して開口窓部を規定する連結部と、を備え、複数の横板を含む該開口窓部が、前面視する場合に孔が出現せずに側面視する場合に孔が出現する鎧戸を含む、
請求項１に記載の遊戯機用スピーカー。
【請求項５】
請求項１から４のいずれかに記載の遊戯機用スピーカーと、前記導通検出端子に接続される導通検出回路と、該導通検出回路の出力端子に接続される制御回路と、該遊戯機用スピーカーと遊戯機の固定取付部に狭持される絶縁部材と、を備え、前記フレームと前記前面パネルとが、前記ガスケットおよび該絶縁部材により導通しない絶縁状態である、遊戯機。
【請求項６】
通電性の金属により形成されて遊戯機の固定取付部に取り付ける取付部を含むフレームと、該フレームに対して振動可能に前面側から取り付けられる振動板と、通電性の金属により形成されて通気性を有して該振動板の前面側を覆う該前面パネルと、該前面パネルおよび該フレームに狭持されてこれらを連結する絶縁性を有するガスケットと、該前面パネルおよび該フレームをそれぞれ接続線により正負両端子に接続する導通検出端子と、該導通検出端子に接続される導通検出回路と、を備える、
遊戯機用スピーカー。
【発明の詳細な説明】
【技術分野】
【０００１】
本発明は、遊戯機の効果音、報知音等を含む遊戯音声を再生する遊戯機用スピーカーおよびこれを用いる遊戯機に関し、特に、遊戯機用スピーカーを介して遊戯機に対して不正行為を働こうとする遊戯者がいる場合に、不正行為の有無を検出して管理者ないし周囲の遊戯者にこれを報知することが可能な遊戯機用スピーカーと、これを用いる遊戯機に関する。
【背景技術】
【０００２】
パチンコ機、スロットマシン、あるいは、アーケードゲーム機、等の遊戯機では、遊戯者に対して遊戯の演出効果を高める音声、あるいは、各種の警告音、等の音声を再生するスピーカーが取り付けられている。遊戯機用スピーカーでは、遊戯者が接触するとスピーカー振動板を含む振動系が破壊されやすいので、その前面側にカバー、あるいは、前面パネルを設けるものが一般的である。また、遊戯機用スピーカーに針金ないしピアノ線を挿入し、場合によってはスピーカーを破壊してでも遊戯機に対して不正行為を働こうとする遊戯者が存在するので、このような不正行為を防止するように遊戯機用スピーカーの構成に工夫を加える遊戯機がある。
【０００３】
例えば、従来には、遊技機の所定位置に配設されて遊技状態に応じて各種効果音を出力し得る効果音出力装置における出力部の前側を保護し得るカバー体であって、前記カバー体は、前記効果音出力装置の出力部から出力される各種効果音の通過を許容し得る開口部が夫々形成されて前後方向に重ね合わされる第１カバー部材および第２カバー部材からなり、前記出力部に近接して配設される第１カバー部材は、その略中央部に向かって凹形状となるよう前後方向に所要間隔で離間すると共に、後側に向かうにつれて外形寸法が小さくなる複数の規制部を外郭枠に配設して、各規制部間に開口部を夫々形成し、前記第１カバー部材の前側に配設される第２カバー部材は、前記第１カバー部材の外郭枠と対応する大きさの皿状に形成された平面部に複数の開口部を形成し、前記第１および第２カバー部材に形成される開口部の夫々を異なる形状に設定し、第２カバー部材の開口部に通入した異物を、第１カバー部材で規制するよう構成したことを特徴とする効果音出力装置のカバー体がある。（特許文献１）。
【０００４】
また、例えば、放音口からピアノ線等の不正部材を挿入して内部の装置類を操作する不正行為を防止できるようにするのに、遊技機本体側の支持板と、該支持板の前側を覆う前カバーとを備え、前記支持板にスピーカユニットを含むスピーカーを、前記前カバーに前記スピーカーに対応する放音口を夫々設けた遊技機において、前記スピーカユニットをその外周側の取り付け板を介して前記支持板に装着し、前記取り付け板に、前記放音口の外側で前記前カバー側に突出する不正防止壁を一体に設けたことを特徴とする遊技機がある（特許文献２）。
【０００５】
あるいは、不正報知を行うことができるスピーカーが破壊されたことを検知することで、不正行為の早期発見、未然防止を図ることができるスピーカユニットとして、遊技媒体による遊技が可能とされた遊技機に配置されて、音声演出を行うスピーカユニットであって、通電に基づく音声発生動作によって前記音声演出を行うスピーカーと、該スピーカーの動作を検知する検知部と、該検知部による検知結果に基づいて前記スピーカーの動作が正常であるか否かを判断し、動作異常と判断した場合に報知信号を送信する制御部と、を有するスピーカユニットがある（特許文献３）。
【０００６】
また、スピーカーの振動板が突き破られてスピーカーが警報手段としての機能を失い、その後の遊技機に対する不正行為を防止可能な遊技機を提供するのに、振動板を振動させて前面から音を出力するスピーカーを備えた遊技機であって、前記振動板の前側から異物によって該振動板が突き破られたか否かを検知する振動板突破検知手段を、外部から視認できないように前記振動板の後側に設けたことを特徴とする遊技機がある（特許文献４）。また、スピーカーの前方から前記振動板に向かって異物が挿入されたか否かを検知する異物挿入検知手段を有し、前記異物挿入検知手段は、前記スピーカーの前記振動板の前面を覆うように該スピーカーの前方に前後方向に移動自在に支持された移動板と、前記移動板が前記スピーカーに対して所定位置から前後方向に所定距離を超えて移動したか否かを検出する移動検出手段とを備えることを特徴とする遊技機がある（特許文献５）。
【先行技術文献】
【特許文献】
【０００７】
【特許文献１】特許第４００３２０９号公報
【特許文献２】特開２００８−２２９２３０号公報
【特許文献３】特開２００９−８２１９１号公報
【特許文献４】特開２００９−１０１０６４号公報
【特許文献５】特開２００９−１０１０６６号公報
【０００８】
しかしながら、遊戯機用スピーカーに針金ないしピアノ線を挿入し、スピーカー振動板を突き破るような遊技機に対する不正行為を検出するには、従来の構成では問題がある。例えば、特許文献３のスピーカーの動作を検知する検知部、あるいは、特許文献４の振動板突破検知手段、または、特許文献５の移動板および移動検出手段を備える遊戯機用スピーカーを実現するには、コストが従来の遊戯機用スピーカーに比べて格段に高くなり、現実的には採用しがたいという問題がある。
【発明の概要】
【発明が解決しようとする課題】
【０００９】
本発明は、上記の従来技術が有する問題を解決するためになされたものであり、その目的は、遊戯機用スピーカーに針金ないしピアノ線を挿入し、スピーカー振動板を突き破るような遊技機に対する不正行為を検出する遊戯機用スピーカーおよびこれを用いる遊戯機に関し、特に、コストが従来の遊戯機用スピーカーに比べて安価で採用しやすく、動作が安定して不正行為を検出することができる遊戯機用スピーカーを提供することにある。
【課題を解決するための手段】
【００１０】
本発明の遊戯機用スピーカーは、遊戯機の固定取付部に取り付ける取付部を含むフレームと、フレームに対して振動可能に前面側から取り付けられる振動板と、通気性を有して振動板の前面側を覆う前面パネルと、を備え、通電性の金属により形成される前面パネルおよびフレームが、絶縁性を有するガスケットを狭持して連結し、かつ、それぞれ接続線により導通検出端子の正負両端子に接続されている。
【００１１】
好ましくは、本発明の遊戯機用スピーカーは、振動板が、紙材、または、樹脂から形成され、フレームおよび前面パネルが、鉄を含む合金からなる鋼板に多数の小孔を設けたパンチング部材から形成される。
【００１２】
また、好ましくは、本発明の遊戯機用スピーカーは、振動板が、紙材、または、樹脂から形成され、前面パネルが、鉄を含む合金からなる鋼板に多数の小孔を設けたパンチング部材から形成され、フレームが、鉄を含む合金からなる鋼板から形成され、振動板の外周端部に対応する第１固定部と、振動板の内周端部に対応する第２固定部と、第１固定部および第２固定部を連結する連結部と、を備え、連結部が、複数の小孔を含む。
【００１３】
また、好ましくは、本発明の遊戯機用スピーカーは、振動板が、紙材、または、樹脂から形成され、前面パネルが、鉄を含む合金からなる鋼板に多数の小孔を設けたパンチング部材から形成され、フレームが、鉄を含む合金からなる鋼板から形成され、振動板の外周端部に対応する第１固定部と、振動板の内周端部に対応する第２固定部と、第１固定部および第２固定部を連結して開口窓部を規定する連結部と、を備え、複数の横板を含む開口窓部が、前面視する場合に孔が出現せずに側面視する場合に孔が出現する鎧戸を含む。
【００１４】
好ましくは、本発明の遊戯機は、上記の遊戯機用スピーカーと、導通検出端子に接続される導通検出回路と、導通検出回路の出力端子に接続される制御回路と、遊戯機用スピーカーと遊戯機の固定取付部に狭持される絶縁部材と、を備え、フレームと前面パネルとが、ガスケットおよび絶縁部材により導通しない絶縁状態である。
【００１５】
また、本発明の遊戯機用スピーカーは、通電性の金属により形成されて遊戯機の固定取付部に取り付ける取付部を含むフレームと、フレームに対して振動可能に前面側から取り付けられる振動板と、通電性の金属により形成されて通気性を有して振動板の前面側を覆う前面パネルと、前面パネルおよびフレームに狭持されてこれらを連結する絶縁性を有するガスケットと、前面パネルおよびフレームをそれぞれ接続線により正負両端子に接続する導通検出端子と、導通検出端子に接続される導通検出回路と、を備える。
【００１６】
以下、本発明の作用について説明する。
【００１７】
本発明の遊戯機用スピーカーは、遊戯機の固定取付部に取り付ける取付部を含むフレームと、フレームに対して振動可能に前面側から取り付けられる振動板と、通気性を有して振動板の前面側を覆う前面パネルと、前面パネルおよびフレームに狭持されるガスケットと、を備える。振動板は、紙材、または、樹脂から形成され、前面パネルおよびフレームは、通電性の金属により形成され、また、ガスケットは、紙材あるいは樹脂、ゴム等の絶縁性を有する材料で形成されている。遊戯機用スピーカーは、遊戯機の固定取付部に狭持される絶縁部材を介して固定され、フレームと前面パネルとが導通しない絶縁状態で遊戯機の固定取付部に取り付けられて、遊戯機の遊戯音声を再生する。
【００１８】
遊戯機用スピーカーのフレームおよび前面パネルは、好ましくは、鉄を含む合金からなる鋼板に多数の小孔を設けたパンチング部材から形成される。あるいは、フレームは、鉄を含む合金からなる鋼板から形成され、振動板の外周端部に対応する第１固定部と、振動板の内周端部に対応する第２固定部と、第１固定部および第２固定部を連結して開口窓部を規定する連結部と、を備え、連結部が、複数の小孔を含むものであってもよく、また、複数の横板を含む開口窓部が、前面視する場合に孔が出現せずに側面視する場合に孔が出現する鎧戸を含むものであってもよい。加えて、本発明の遊戯機用スピーカーでは、前面パネルおよびフレームが、絶縁性を有するガスケットを狭持して連結し、かつ、それぞれ接続線により導通検出端子の正負両端子に接続されている。
【００１９】
したがって、本発明の遊戯機用スピーカーに対して針金ないしピアノ線といった導体を挿入するような不正行為を遊戯者が行う場合には、本来ならば導通していないフレームと前面パネルとが、挿入された金属である針金ないしピアノ線を介して導通するようになるので、遊戯機は不正行為を検出することができる。すなわち、遊戯機が、本発明の遊戯機用スピーカーと、導通検出端子に接続される導通検出回路と、導通検出回路の出力端子に接続される制御回路と、を備えているので、フレームと前面パネルとが、導通しない絶縁状態で固定取付部に取り付けられる通常状態に比較して、フレームと前面パネルとが導通する短絡状態にあることを検出すれば、容易に不正行為を検出できる。導通検出回路は、遊戯機用スピーカーのフレームと前面パネルとの間の導通の有無を検出する簡単な構成で済むので、コストが従来の遊戯機用スピーカーに比べて安価で採用しやすくできる。
【００２０】
遊戯機用スピーカーのフレームが、鉄を含む合金からなる鋼板に多数の小孔を設けたパンチング部材から形成されると、挿入される針金ないしピアノ線が接触しやすくなるので、このような不正行為を検出しやすくできる。また、フレームに開口を設けないようにして密閉する場合に比べて、振動板背面側の空気のスティフネスを小さくできるので、最低共振周波数ｆ０の上昇を防ぐこともできる。さらに、遊戯機用スピーカーのフレームが、振動板の外周端部に対応する第１固定部と、振動板の内周端部に対応する第２固定部と、第１固定部および第２固定部を連結して開口窓部を規定する連結部と、を備える場合には、連結部が複数の小孔を含むものであれば、または、複数の横板を含む開口窓部が、前面視する場合に孔が出現せずに側面視する場合に孔が出現する鎧戸を含むものであれば、同様の効果が発揮される。
【発明の効果】
【００２１】
遊戯機が、遊戯機用スピーカーに針金ないしピアノ線を挿入するような不正行為を検出することができ、特に、コストが従来の遊戯機用スピーカーに比べて安価で採用しやすく、動作が安定して不正行為を検出することができる遊戯機用スピーカーを提供することができる。
【図面の簡単な説明】
【００２２】
【図１】本発明の好ましい実施形態による遊戯機用スピーカー１を説明する断面図である。（実施例１）
【図２】本発明の好ましい実施形態によるスロットマシン２０を説明する正面図および側面図（一部がＡ−Ａ’断面図）である。（実施例１）
【図３】本発明の好ましい実施形態による遊戯機用スピーカー１を説明する断面図である。（実施例１）
【図４】本発明の他の好ましい実施形態による遊戯機用スピーカー１ａを説明する断面図である。（実施例２）
【実施例１】
【００２３】
図１は、本発明の好ましい実施形態による遊戯機用スピーカー１を説明する断面図である。また、図２は、遊戯機用スピーカー１を左右のスピーカー１Ｌおよび１Ｒとして取り付けた遊戯機であるスロットマシン２０を説明する図である。具体的には、図２（ａ）はスロットマシン２０の正面図であり、図２（ｂ）はその側面図（一部が中央での断面図）である。図１では、遊戯機用スピーカー１がスロットマシン２０に取り付けられる構造が、天面側からの半断面図として描かれている。また、遊戯機用スピーカー１は、図１に図示するように、後述する導通検出回路３１を介して制御回路３０に接続している。なお、遊戯機用スピーカー１、ないし、スロットマシン２０の説明に不要な内部構造等は、図示及び説明を省略する。
【００２４】
本実施例の遊戯機用スピーカー１は、口径が約１０ｃｍの動電型スピーカーであり、内周及び外周が円形のコーン振動板であるスピーカー振動板２を有するスピーカーである。スピーカー振動板２は、エッジ３によってその外周端を支持されており、エッジ３の外周端は、フレーム６に固定されている。また、スピーカー振動板２の内周端には、ボイスコイル４を構成する丸形の円筒状のボビン４ａが連結しており、ボイスコイル４のコイル４ｂが巻回されて固定されているボビン４ａは、ダンパー５により振動可能に支持されている。また、フレーム６に固定される後述する磁気回路１０は、ボイスコイル４のコイル４ｂが配置される磁気空隙を有する。そして、スロットマシン２０では、遊戯機用スピーカー１のフレーム６が、スロットマシン２０の内部側に設けられる固定取付部２１に絶縁部材１８を介して取り付けられている。
【００２５】
スロットマシン２０は、リール２３ａ〜２３ｃやメダル処理器等が取り付けられる筐体の前面側に、遊戯機用スピーカー１が固定される固定取付部２１を有して閉じられたときに遊戯者が対向する扉体２２を備えている。扉体２２を開放すると、スロットマシン２０のメンテナンスや、内部の部品組立が行える。扉体２２には、その他にリール窓２３と、メダル投入孔２４と、スイッチ２５と、表示器２６と、メダル放出孔２７と、が取り付けられている。つまり、遊戯機用スピーカー１はスロットマシン２０の前面側に取り付けられ、扉体２２の表側に設けられる放音孔からスピーカー振動板２の前面側を覆う通気性を有する前面パネル１５が露出するように取り付けられている。
【００２６】
また、本実施例のスロットマシン２０では、遊戯時には、遊戯者がメダル投入孔２４にメダルを投入してスタートボタン２５ｓを押すとリール２３ａ〜２３ｃが回転を始め、いずれかのストップボタン２５ｂを押すと対応するそれぞれのリール２３ａ〜２３ｃが回転を停止する。リール２３ａ〜２３ｃには複数のシンボルが印刷されており、リール２３ａ〜２３ｃが停止した時のシンボルの並びにより、メダル処理器２９からメダル放出孔２７を通じてメダルが排出される。遊戯の制御は、ＣＰＵ、メモリ等を含む制御回路３０が行う。スロットマシン２０の扉体２２には、報知音等を再生する本実施例の左スピーカー１Ｌおよび右スピーカー１Ｒが取り付けられているので、制御回路３０から出力される音声信号は、（図示しない）増幅回路で増幅されて、遊戯者の前方左右にそれぞれ配置される左スピーカー１Ｌと、右スピーカー１Ｒと、にそれぞれ供給される。したがって、本実施例のスロットマシン２０は、遊戯者の前方から迫力感のある再生音を遊戯者に提供することができる。また、制御回路３０は、スロットマシン２０の筐体の内部に設けられる後述する導通検出回路３１に接続しており、導通検出回路３１は接続線３２を介して遊戯機用スピーカー１の導通検出端子を含むターミナル１７に接続している。
【００２７】
遊戯機用スピーカー１において、コーン形振動板であるスピーカー振動板２は、パルプ材を抄紙および切断して形成した紙コーン振動板である。また、エッジ３は、断面が凸状のロール形状を有するエッジであり、本実施例では、柔軟性を有する繊維の織布を基材として熱硬化性樹脂であるフェノール樹脂を含浸して加熱成形するものである。スピーカー振動板２は、エッジ３によってその外周端を支持され、エッジ３の外周端はフレーム６に固定されているので、スピーカー振動板２は、フレーム６に対して振動可能にその前面側から取り付けられている。また、エッジ３の外周部の前面側に樹脂からなるガスケット１４が接着されており、ガスケット１４の前面側に前面パネル１５が接着されている。
【００２８】
ボイスコイル４は、円筒形に形成したボビン４ａと、その一端側に巻回されて音声電流が供給されるコイル４ｂと、から形成される。ボビン４ａは、その円筒外面側がスピーカー振動板２の内周端に接着剤により連結される。コイル４ｂは、後述する磁気回路１０の円形の磁気空隙に配置される。なお、錦糸線９は、ボビン４ａの円筒外面側においてコイル４ｂの引出線とハンダづけされて、ターミナル７に供給される音声電流をコイル４ｂに導通する。錦糸線９は、スピーカー振動板２に設ける金属ハトメを介してフレーム６に固定されるターミナル７とコイル４ｂの引出線とを、ハンダづけして導通させてもよい。
【００２９】
ダンパー５は、柔軟性を有する繊維の織布を基材としてフェノール樹脂を含浸して成形する内形および外形が円形のコルゲーションダンパーである。ダンパー５の内周端は、ボビン４ａの円筒外面側と連結してスピーカー振動板２を含む振動系を支持する。ダンパー５の外周端側は、フレーム６の固定部に固定される。なお、ダンパー５は、他の形状のコルゲーションダンパーであっても良く、また、他の材料で形成するものであってもよく、内周側リングと外周側リングを連結するアームを有し、金属または樹脂で形成する蝶ダンパーであってもよい。
【００３０】
フレーム６は、スピーカー振動板２の形状に対応したバスケット状にプレス成型された鉄板フレームであり、鉄を含む合金からなる鋼板に多数の小孔を設けたパンチング部材から形成される。フレーム６は、スロットマシン２０の固定取付部２１に取り付ける取付部と、スピーカー振動板２の外周端部に対応してエッジ３を固定する略円形の第１固定部と、スピーカー振動板２の内周端部に対応してダンパー５を固定する略円形の第２固定部と、第２固定部から延設されて磁気回路１０を固定する略円形の第３固定部と、第１固定部および第２固定部を連結する連結部と、この連結部にターミナル７およびターミナル１７を取り付ける取付部と、を備える。したがって、スピーカー振動板２、エッジ３、ボイスコイル４、ダストキャップ８、および、ダンパー５からなるスピーカー振動系は、フレーム６に対して振動可能に支持される。加えて、パンチング部材から形成されるフレーム６の連結部には、多数の小孔６ａが規定されている。
【００３１】
ダストキャップ８は、パルプ材を抄紙および切断して形成した略ドーム状の部材であり、ボイスコイル４のボビン４ａの端部に接着剤で取り付けられる。ダストキャップ８は、円筒形の断面を有するボイスコイル４に対応する円形のダストキャップであり、磁気回路１０の円形の磁気空隙に鉄粉等の塵芥が侵入するのを防止する。なお、ダストキャップ８は、スピーカー振動板２に接着剤で固定されるものであってもよい。
【００３２】
磁気回路１０は、フレーム６にカシメ加工で固定される円環形のトッププレート１１と、円筒形状であってトッププレート１１の中央に形成された円形孔に挿入されるセンターポールおよび平板状のアンダープレートを有するポール１２と、円環状のマグネット１３と、から構成される。トッププレート１１およびポール１２は、均等な幅を有する円形の磁気空隙を形成する。マグネット１３は、トッププレート１１およびポール１２のアンダープレートの間に狭持されるように接着される。本実施例のマグネット１３は、フェライト系磁石であり、残留磁化および保磁力がさらに大きく、小さい体積でも保磁力の強いＮｄ−Ｆｅ−Ｂ系の希土類磁石であってもよい。磁気回路１０は、ボイスコイル４のコイル４ｂを平面視した場合に投影する領域の外部に磁石が配置される外磁型磁気回路である。
【００３３】
したがって、ターミナル７を介して遊戯機用スピーカー１のボイスコイル４のコイル４ｂに音声電流が供給されると、磁気空隙に配置されたボイスコイル４には駆動力が作用し、ボイスコイル４は前後方向（図における上下方向）に振動し、連結されたスピーカー振動板２も前後方向に振動する。本実施例の遊戯機用スピーカー１の場合には、パルプ材を抄紙および切断して形成した軽量の紙コーン振動板であるスピーカー振動板２を備えているので、動電型スピーカーの再生能率を高めることができる。
【００３４】
エッジ３の外周部の前面側に設けられるガスケット１４は、樹脂を矩形状の断面を有するリング状に成形した部材である。例えば、ガスケット１４は、ＡＢＳ樹脂からなり、電気的に導通しない絶縁性の部材である。なお、ガスケット１４は、紙材を積層して切断して成形したガスケットであってもよく、ゴム等の電気的に導通しない絶縁性の部材であればよい。
【００３５】
このガスケット１４の前面側には、鉄を含む合金からなる鋼板に多数の小孔を設けたパンチング部材から形成される前面パネル１５が接着されている。この前面パネル１５は小孔により通気性を有しているので、小孔が大きく開口率が高いほど遊戯機用スピーカー１の再生能率を高めることができる。ただし、遊戯機用スピーカー１のスピーカー振動板２を含む振動系が破壊されないようにする前面パネル１５は、再生能率の確保と異物の侵入防止とのバランスを取った適度な開口率とすることが望まれる。
【００３６】
また、遊戯機用スピーカー１の前面パネル１５は、通電性の金属により形成されるとともに、絶縁性のガスケット１４により、同じく通電性の金属により形成されるフレーム６と絶縁されている。遊戯機用スピーカー１のフレーム６は、スロットマシン２０の固定取付部２１に狭持される絶縁部材１８を介して固定される。絶縁部材１８は、フレーム６との隙間を埋めて気密を高めるシート状の気密材であるので、スロットマシン２０の固定取付部２１が通電性の金属等の材料である場合にも、フレーム６と前面パネル１５とが導通しない絶縁状態でスロットマシン２０の固定取付部２１に取り付けられることを確保する。
【００３７】
なお、スロットマシン２０の固定取付部２１が金属等の通電性の部材である場合には、遊戯機用スピーカー１のフレーム６を固定する際に絶縁部材１８を用い、かつ、フレーム６を固定する固定具には、絶縁性の樹脂のネジ等を用いるのが好ましい。また、フレーム６スロットマシン２０の固定取付部２１が樹脂等の絶縁性の部材であり、遊戯機用スピーカー１のフレーム６を固定してもフレーム６と前面パネル１５とが導通しない絶縁状態を保つ場合には、絶縁部材１８を省略することができる。もちろん、絶縁部材１８を、遊戯機用スピーカー１の前面パネル１５と、スロットマシン２０の扉体２２との間に更に設けて、フレーム６と前面パネル１５との絶縁状態を確保しても良い。
【００３８】
フレーム６の連結部には、音声信号が入力されるターミナル７に加えて、導通検出端子の正負両端子が設けられるターミナル１７を取り付ける取付部が設けられている。すなわち、ターミナル１７には、前面パネル１５とフレーム６との導通を検出する導通検出端子の正負両端子が設けられ、前面パネル１５と導通検出端子の正端子とが接続線１６の一方により接続され、フレーム６と導通検出端子の負端子とが接続線１６の他方により接続される。導通検出端子の正負両端子を含むターミナル１７は、接続線３２を介して導通検出回路３１に接続している。
【００３９】
導通検出回路３１は、正負両端子の間に正の電位を与える直流電源と、正負両端子間が短絡された場合にこの直流電源を過電流から保護する保護抵抗と、正負両端子間が短絡された場合にこの保護抵抗に流れる電流ｉのレベルを測定する（図示しない）電流測定回路と、を含む。導通検出回路３１は、本来ならば絶縁性のガスケット１４を狭持して導通していないフレーム６と前面パネル１５とが導通する状態になった場合に、接続線１６および接続線３２に流れる電流ｉのレベルを測定し、電流ｉが所定値以上になれば、フレーム６と前面パネル１５とが短絡していることを検出する。導通検出回路３１の出力端子には、スロットマシン２０の制御回路３０が接続されている。したがって、導通検出回路３１が、フレーム６と前面パネル１５とが導通しない絶縁状態で固定取付部２１に取り付けられる通常状態に比較して、フレーム６と前面パネル１５とが導通する短絡状態にあることを検出すれば、スロットマシン２０の制御回路３０は、容易に不正行為を検出できる。
【００４０】
図３は、本発明のスロットマシン２０の遊戯機用スピーカー１に対して、不正行為が行われる場合を説明する図である。不正を図る遊戯者は、遊戯機用スピーカー１の前面パネル１５の小孔に図示する針金Ｘを挿入し、スピーカー振動板２を突き破って、針金Ｘの先端部位をスロットマシン２０の筐体内部にあるいずれかの回路に接触させて、制御回路３０の動作を正常な状態から変更しようとする。不正を図る遊戯者は、針金Ｘの先端部位を、スロットマシン２０の前面側に露出する遊戯機用スピーカー１の前面パネル１５の小孔に、容易に挿通させることができる。しかし、針金Ｘの先端部位がスピーカー振動板２を突き破ってその背面側に侵入する場合には、不正を図る遊戯者には針金Ｘの先端部位が見えなくなるので、さらにフレーム６の小孔６ａを挿通するように針金Ｘの先端部位を操作することは非常に困難であり、針金Ｘは接点Ｘ１でフレーム６に接触せざるを得なくなる。
【００４１】
また、不正を図る遊戯者の針金Ｘの操作により、針金Ｘの手前側の接点Ｘ２が小孔を規定する前面パネル１５に接触する。その結果、針金Ｘがピアノ線のような導通性の金属からなる場合には、本来ならば導通していない遊戯機用スピーカー１のフレーム６と前面パネル１５とが、挿入された金属である針金Ｘを介して導通するようになるので、スロットマシン２０の制御回路３０は、導通検出回路３１を介して遊戯機用スピーカー１に対する不正行為を検出することができる。つまり、フレーム６と前面パネル１５が、導通しない絶縁状態で固定取付部２１に取り付けられる通常状態では、導通検出回路３１には電流ｉは流れないが、フレーム６と前面パネル１５とが導通する短絡状態にあることを導通検出回路３１が検出すれば、導通検出回路３１に接続する制御回路３０は、スピーカー振動板２を突き破る通電性の針金Ｘが挿入される不正行為がなされたことを検出できる。
【００４２】
遊戯機用スピーカー１に対する不正行為がなされたことを検出した制御回路３０は、スロットマシン２０の管理者ないし周囲の遊戯者に対してこれを報知する。つまり、制御回路３０は、スロットマシン２０の制御モードを変更して遊戯を中止し、所定のランプ、または、ＬＥＤを発光させて警報を報知する、あるいは、スロットマシン２０が接続されている中央管理装置に対して警報信号を報知する、等の制御を行うことができる。
【００４３】
本実施例の場合には、フレーム６と前面パネル１５とが、鉄を含む合金からなる鋼板に多数の小孔を設けたパンチング部材から形成されるので、挿入される針金ないしピアノ線が接触しやすくなり、このような不正行為を検出しやすくできる。本実施例の不正行為の有無を検出することができる遊戯機用スピーカー１を備えるスロットマシン２０では、コストが従来の遊戯機用スピーカーに比べて安価で採用しやすいという利点がある。
【００４４】
なお、フレーム６は、バスケット状にプレス成型された鉄板フレームであれば、第１固定部および第２固定部を連結する連結部のみに、多数の小孔６ａを設けても良い。フレーム６は、上記の鉄を含む合金からなる鋼板に予め多数の小孔を設けたパンチング部材を用いる場合に限られない。フレーム６は、通常の鋼板を用いる場合に、連結部に規定される開口窓部を、プレス成型の工程のいずれかの段階で、多数の小孔を設けるようにしてもよい。
【００４５】
本実施例では、フレーム６に多数の小孔６ａを設けているので、フレーム６に開口を設けないようにして密閉する場合に比べて、スピーカー振動板２の背面側の空気のスティフネスを小さくできる。したがって、最低共振周波数ｆ０の上昇を防ぎ、不正行為を検出する機能を有していても、低音域の再生能力に優れる遊戯機用スピーカー１を実現できる。もちろん、フレーム６の小孔６ａを小さくする、または、フレーム６に小孔６ａを設けないようにすれば、遊戯機用スピーカー１に対する不正行為による危険性を更に低めることができるので、必ずしもフレーム６に図示するような多数の小孔６ａを設けなくてもよい。
【００４６】
また、本実施例では、フレーム６の連結部に別のターミナル１７を設けて、前面パネル１５とフレーム６との導通を検出する導通検出端子の正負両端子を設けているが、導通検出端子は、前面パネル１５およびフレーム６のそれぞれに別個に設けても良い。場合によっては、前面パネル１５およびフレーム６のそれぞれの成型工程において切片を切り起こし、これらを導通検出端子としてもよい。
【００４７】
また、導通検出回路３１が、フレーム６と前面パネル１５とが導通する短絡状態にあることを検出する方法は、上記の場合に限られない。導通検出回路３１が、備える電源回路は、特定の周波数を有する交流電源回路であってもよい。また、制御回路３０は、不正行為がなされたことを検出する基準として、短絡状態の時間的な長短が所定以上になる場合に、あるいは、短絡状態の検出が所定時間内に所定の複数回以上なされる場合に、不正行為がなされたと判断してもよい。
【００４８】
また、本実施例では、導通検出回路３１がスロットマシン２０の筐体の内部に、遊戯機用スピーカー１とは別に設けられているが、導通検出回路３１は、遊戯機用スピーカー１と一体に設けられていても良い。つまり、遊戯機用スピーカーが前面パネルおよびフレームをそれぞれ接続線により正負両端子に接続する導通検出端子と、導通検出端子に接続される導通検出回路と、を備え、導通検出回路は、例えば、フレームあるいは磁気回路に固定されていればよい。
【実施例２】
【００４９】
図４は、本発明の他の好ましい実施形態による遊戯機用スピーカー１ａを説明する断面図である。遊戯機用スピーカー１ａは、先の実施例における遊戯機用スピーカー１のフレーム６に代えて使用する鎧戸構造を有するフレーム６０を含み、遊戯機用スピーカー１と同様に不正行為を検出する機能を有する遊戯機用スピーカーである。したがって、共通する部分には共通する図番を付して、説明を省略する。
【００５０】
フレーム６０は、スピーカー振動板２の形状に対応したバスケット状にプレス成型された鉄板フレームであり、鉄を含む合金からなる鋼板から形成される。
フレーム６０は、スロットマシン２０の固定取付部２１に取り付ける取付部と、スピーカー振動板２の外周端部に対応してエッジ３を固定する略円形の第１固定部と、スピーカー振動板２の内周端部に対応してダンパー５を固定する略円形の第２固定部と、第２固定部から延設されて磁気回路１０を固定する略円形の第３固定部と、第１固定部および第２固定部を連結して開口窓部を規定する連結部と、この連結部にターミナル７およびターミナル１７を取り付ける取付部と、を備える。
【００５１】
加えて、フレーム６０の複数の横板を含む開口窓部が、前面視する場合に孔が出現せずに側面視する場合に孔が出現する鎧戸を含む。すなわち、フレーム６０では、第１固定部、第２固定部、および、連結部により規定される開口窓部が、切り起こされてフレーム６０の内側に折り曲げられる複数の横板を含む。断面上のフレーム６０の連結部の傾斜に対して、切り起こされる横板の寸法が大きくなれば、開口窓部には鎧戸が形成され、フレーム６０を前面視する場合に孔が出現せずに側面視する場合に孔が出現するようになる。
【００５２】
その結果、フレーム６０を用いる遊戯機用スピーカー１ａでは、不正行為により挿入される針金ないしピアノ線がフレーム６０の鎧戸に接触しやすくなり、このような不正行為を検出しやすくできる。本実施例の不正行為の有無を検出することができる遊戯機用スピーカー１ａを備えるスロットマシン２０では、コストが従来の遊戯機用スピーカーに比べて安価で採用しやすいという利点がある。また、フレーム６０では、鎧戸により通気性が確保されるので、スピーカー振動板２の背面側の空気のスティフネスを小さくできる。したがって、最低共振周波数ｆ０の上昇を防ぎ、不正行為を検出する機能を有していても、低音域の再生能力に優れる遊戯機用スピーカー１ａを実現できる。
【００５３】
なお、本実施例の遊戯機用スピーカーは、スピーカー振動板ないしフレームの外形が上記の円形である場合に限らず、トラック形、楕円形、長円形、長方形、矩形といった長径寸法と短径寸法との比が大きい細長形の遊戯機用スピーカーであってもよい。
【産業上の利用可能性】
【００５４】
本発明の遊戯機用スピーカーは、ゲーム機、パチンコ機、ないし、スロットマシン等の遊戯機に内蔵するスピーカーとしてのみならず、スピーカーを内蔵する電子機器であって、不正行為の防止を必要とする自動販売機、または、ＡＴＭ等にも適用が可能である。
【符号の説明】
【００５５】
１、１ａ  遊戯機用スピーカー
２        スピーカー振動板
３        エッジ
４        ボイスコイル
５        ダンパー
６        フレーム
７        ターミナル
８        ダストキャップ
９        錦糸線
１０      磁気回路
１１      トッププレート
１２      ポール
１３      マグネット
１４      ガスケット
１５      前面パネル
１６      接続線
１７      ターミナル
１８      絶縁部材
２０      スロットマシン
２１      固定取付部
２２      扉体
２３      リール窓
２４      メダル投入孔
２５      スイッチ
２６      表示器
２７      メダル放出孔
３０      制御回路
３１      導通検出回路
３２      接続線
【図１】
0005504788.tif 000002
【図２】
0005504788.tif 000003
【図３】
0005504788.tif 000004
【図４】
0005504788.tif 000005